(57)【要約】【課題】騒音に満ちた周囲の中でも、聴取装置の利用者が妨げられることなく話しができる聴取システムを提供する。【解決手段】第１の聴取装置（HG1）、第２の聴取装置（HG2）、及び第１の聴取装置及び第２の聴取装置の少なくとも１つを操作するための遠隔操作部（FB1）を備え、遠隔操作部（FB1）は基地局として構成され、この基地局に第１及び第２の聴取装置が自発的な通信ネットワークの構築のためログインすることができる。それによって遠隔操作部を中継局として利用し、邪魔になる騒音に影響されることなく無線通信が可能になる。【選択図】図２
2008118636.tif 000002
【特許請求の範囲】
【請求項１】
第１の聴取装置（HG1）と第２の聴取装置（HG2、HGn）と、第１の聴取装置及び第２の聴取装置の少なくとも１つを操作するための遠隔操作部（FB1）とを備え、遠隔操作部（FB1）は、第１及び第２の聴取装置が自発的な通信ネットワークの構築のためログインし得る基地局として構成されていることを特徴とする聴取システム。
【請求項２】
聴取装置（HG1、HG2、HGn）が通信ネットワークを介して言語通信のためのマイクロホン（２）を有することを特徴とする請求項１記載の聴取システム。
【請求項３】
少なくとも１つの別の遠隔操作部が通信ネットワークにログイン可能であり、この別の遠隔操作部と通信結合状態にある少なくとも１つの第３の聴取装置が、通信ネットワークを介して第１及び第２の聴取装置の少なくとも一方と情報伝達することができるようになっていることを特徴とする請求項１又は２記載の聴取システム。
【請求項４】
通信ネットワークの複数の加入者にわたる通信結合が形成可能であることを特徴とする請求項１〜３のいずれか１つに記載の聴取システム。
【請求項５】
種々の伝送規格に対するモジュールを有し、異なる伝送規格を持った聴取装置がモジュールを介して互いに情報伝達可能であることを特徴とする請求項１〜４のいずれか１つに記載の聴取システム。
【請求項６】
モジュールが遠隔操作部（FB1）に組み込まれていることを特徴とする請求項５記載の聴取システム。
【請求項７】
両聴取装置（HG1、HG2、HGn）の少なくとも１つが、補聴器装用者の両耳適用のための２つの補聴器を有することを特徴とする請求項１〜６のいずれか１つに記載の聴取システム。
【請求項８】
第１の聴取装置（HG1）と第２の聴取装置（HG2、HGn）との間で情報伝達するための方法において、
第１の聴取装置及び第２の聴取装置の少なくとも１つを操作するための遠隔操作部を用意し、
第１及び第２の聴取装置を基地局としての遠隔操作部（FB1）にログインして自発的な通信ネットワークを構築し、
第１の聴取装置（HG1）と第２の聴取装置（HG2、HGn）との情報伝達を遠隔操作部（FG1）を介して行う
ことを特徴とする聴取装置間の情報伝達方法。
【請求項９】
少なくとも１つの別の遠隔操作部が通信ネットワークにログインされ、この別の遠隔操作部と通信結合状態にある少なくとも１つの第３の聴取装置が通信ネットワークを介して第１及び第２の聴取装置の少なくとも１つと情報伝達可能であることを特徴とする請求項８記載の方法。
【請求項１０】
通信ネットワークにおいて、種々の伝送規格による通信及び場合によっては第１の伝送規格から第２の伝送規格への通信信号の対応する変換が行われることを特徴とする請求項８又は９記載の方法。
【発明の詳細な説明】
【技術分野】
【０００１】
本発明は、第１の聴取装置と第２の聴取装置とを有する聴取システムに関する。さらに本発明は聴取装置間の情報伝達方法に関する。ここで聴取装置という概念は、装着可能な、また装着不可能な音響機器、特に補聴器、ヘッドセット又はヘッドホンを意味する。
【背景技術】
【０００２】
補聴器は、難聴者の処置のために用いられる装着可能な聴取装置である。多数の個々の欲求に応じるため、補聴器には種々の構造形式があり、例えば耳掛け式補聴器（HdO）、耳道挿入式補聴器（IdO）及びConcha（甲介）補聴器が用意されている。模範的に挙げられる補聴器は、外耳に又は耳道内に装着される。しかしさらに市場では、骨伝導補聴器、インプラント可能な又は振動触感性の補聴器も利用されている。その際、損なわれた聴覚の刺激が機械的又は電気的に行われる。
【０００３】
補聴器は原則的に、本質的な構成要素として入力変換器、増幅器及び出力変換器を持っている。入力変換器は通例、音受量器例えばマイクロホン、及び電磁受量器例えば誘導コイル、の少なくとも一方である。出力変換器はたいていの場合電気音響変換器例えば小型スピーカーとして、又は電気機械変換器例えば骨伝導受話器として現実化されている。増幅器は通常信号処理ユニット中に組み込まれている。この原則的な構造が、耳掛け式補聴器の例について図１に示されている。耳の後に装着するための補聴器ハウジング１内に、１つ又は複数のマイクロホン２が周囲からの音を取り入れるために組み込まれている。同じように補聴器ハウジング１内に組み込まれた信号処理ユニット３は、マイクロホン信号を処理しそれを増幅する。信号処理ユニット３の出力信号はスピーカーないし受話器４に伝送され、受話器は音響信号を出力する。音は場合によっては、耳道内のオトプラスチックによって固定されている音響チューブを介して、補聴器装用者の鼓膜に伝送される。補聴器及び特に信号処理ユニット３の給電は、同様に補聴器ハウジング１内に組み込まれた電池５によって行われる。
【０００４】
邪魔な騒音のある周囲の中で補聴器装用者に音を伝えるのに特別の問題がある。例えば二人の補聴器装用者が邪魔な騒音のある周囲の中で妨げられないで話したい場合には、邪魔な騒音を抑制するためのしかるべき措置が講じられる。これまで例えば、邪魔な騒音を指向性マイクを用いてできるだけ広く抑制することが試みられた。しかしまたさらに、いわゆる「コンパニオン・マイク」も知られており、このマイクは話し手が首のまわりに掛けることができ、その結果話し手は場合によっては広い間隔をおいても妨げられることなく話し合うことができる。
【０００５】
さらに、第１の補聴器から他の補聴器へ制御パラメータを伝送することが知られている。制御パラメータの伝送は、受信する補聴器の信号処理を制御し、信号の品質を改善するために行われる（例えば、特許文献１参照）。
【０００６】
さらに、補聴器における無線式のデータ伝送のために、外部の送信ユニットの高周波信号を受信するための高周波受信装置を有する変換ユニットが知られている。この変換ユニットは、高周波信号を類似した高い周波数の参照信号と混合するため相応の混合ユニットを備える。それによって、大きさの程度が少なくとも１つの程度だけ低い周波数で、誘導性の伝送に適した出力信号を形成することができる。従って空間的にも広い無線区間を橋渡しすることができる（例えば、本発明の出願後に公開されたもので、特許文献２参照）。
【０００７】
補聴器間のディジタル信号の伝送のために、通例２つの異なる可能性が用いられる。即ち、高周波（HF）遠方界伝送と誘導性近傍界伝送がそれである。両変形は利点と欠点を持っている。DHF伝送は通常800〜1000MHzの範囲で行われるのに対し、誘導性伝送は１〜30MHzの範囲で行われる。補聴器利用に対する到達距離は、HF伝送においては約10ｍであり、一方誘導性伝送においてはただの１mである。特にHF伝送において不利なのは、体における電磁信号の吸収、アンテナのための寸法及び受信器の電流消費が大きいことである。それに対して誘導性伝送に対する信号の場合には、体における吸収は僅かであり、伝送のための誘導コイルの寸法及び受信器の電流消費は小さい。
【０００８】
補聴器のためのモジュラ遠隔操作ユニットは知られている。この遠隔操作ユニットはベースモジュールを有し、その機能性は拡張モジュールの結合によって拡張することができる。この方法で遠隔操作は簡単に個々の要求及び使用者の欲求に適合させることができる。１つの実施形態においては、遠隔操作部は、遠隔操作部と補聴器とは異なる別の機器との間のデータ伝送のための手段を含む。この場合、データ網、又はプログラミング機器を用いて補聴器の無線式プログラミングを行うことも念頭におかれている（例えば、特許文献３参照）。
【０００９】
構成要素としてネットワーク、例えばホームネットッワーク、に組み込まれた補聴器遠隔操作部が存在する。このものは、ホームネットワークのデータが個々の補聴器にどのように結合され得るかということに特にかかわっている（例えば、本発明の出願後に公開されたもので、特許文献４参照）。
【特許文献１】独国特許第10047759号明細書
【特許文献２】独国特許出願公開第102005005603号明細書
【特許文献３】独国特許第10345173 B3号明細書
【特許文献４】独国特許出願公開第102005020315 A1号明細書
【発明の開示】
【発明が解決しようとする課題】
【００１０】
本発明の課題は、聴取装置の利用者間でできるだけ妨げられることなく会話を可能にすることにある。
【課題を解決するための手段】
【００１１】
本発明によれば、この課題は、第１の聴取装置及び第２の聴取装置並びに第１の聴取装置及び第２の聴取装置の少なくとも一方を操作するための遠隔操作部を備え、遠隔操作部は、第１及び第２の聴取装置が自発的な通信ネットワークの構築のためにログイン可能な基地局として形成されることによって解決される。
【００１２】
さらに本発明によれば、第１の聴取装置及び第２の聴取装置の少なくとも一方を操作するための遠隔操作部を用意すること、第１の聴取装置及び第２の聴取装置の基地局としての遠隔操作部にログインし自発的な通信ネットワークが構築されること、第１の聴取装置と第２の聴取装置との遠隔操作部を介しての情報伝達が行われることにより、第１の聴取装置と第２の聴取装置との間に情報伝達が行われる方法が提供される。
【００１３】
従って、聴取装置の利用者は、騒音で満たされた周囲の中で妨げられることなく会話することができ有利である。その際、遠隔操作部が基地局として利用され、その結果一般に、例えば小さな補聴器間の直接の情報伝達の場合より大きな無線区間が橋渡しされ得るという状況も合わせて利用される。
【００１４】
本発明による聴取システムの上述の聴取装置の各々は、通信ネットワークを介しての原語通信のためのマイクロホンを有するのが有利である。それによって、聴取装置間のデータ通信のみならず、上述の通話伝送が可能である。
【００１５】
さらに、少なくとも１つの別の遠隔操作部が通信ネットワークにログインし得るようにすることができ、その結果別の遠隔操作部と通信結合されている少なくとも１つの第３の聴取装置が、第１及び第２の聴取装置の少なくとも一方と通信ネットワークを介して情報伝達を行うことができる。したがって、別の聴取装置が第１の遠隔操作部にログインされるという可能性が存在するだけでなく、通信ネットワークが別の遠隔操作部及びそれに接続された聴取装置により任意にさらに拡充される。
【００１６】
同じように有利な実施形態に相応して、通信ネットワークの複数の加入者にわたる通信結合を作ることができる。そのために１つ又は複数の聴取装置が同じように中継局として作用する。
【００１７】
さらに本発明による聴取システムは、種々の伝送規格に対するモジュールを備えることができ、その結果異なる伝送規格を持った聴取装置がモジュールを介して互いに情報伝達することができる。したがって、異なる製造者の聴取装置そして特に補聴器が、例えば異なる通信プロトコル又は異なる通信物理層を介して互いに関係することが可能である。
【００１８】
この種のモジュールは、例えば遠隔操作部に組み込むことができる。それによって遠隔操作部は変換機能を持ったインテリジェント中継局の機能を有する。
【００１９】
さらに、本発明の聴取システムの両聴取装置の少なくとも一方は、補聴器装用者の両耳適用のため２つの補聴器を備えることができる。その場合この両補聴器は通信ネットワークにおいて一つのまとまった通信加入者として取り扱うことができる。しかしさらにまた、両補聴器が通信ネットワークにおいてそれぞれ別々に反応し、分離された通信加入者と見なされるようにする可能性も存在する。それによって騒音に満ちたところでの通信の場合に両耳適用の利点も利用することができる。
【発明を実施するための最良の形態】
【００２０】
次に本発明を図面に示す実施例に基づいて詳細に説明する。図の実施例は本発明の有利な実施形態を示すものである。
【実施例】
【００２１】
図２の例に対応して、補聴器装用者は補聴器HG1とそれに属する遠隔操作部FB1を有する。補聴器HG1及び遠隔操作部FB1は互いに無線式に結合されている。さらに補聴器HG2及びHGnが遠隔操作部FB1と通信結合状態にある。したがって一つの通信ネットワークが生じ、その結果補聴器装用者はそれぞれの補聴器を介して無線式（電磁式、光学式等）の結合により妨げられることなく対話することが可能である。その際無線式の遠隔操作部FB1は複数の補聴器ないし聴取システムを中継局として管理する。この種の聴取システムは例えば２つの補聴器からなる補聴器装用者の両耳適用に使用することができる。
【００２２】
ブルーツースネットワーク又は移動無線ネットワークの場合のように、複数の補聴器が同時に個々の補聴器装用者の遠隔操作部にログインすることがあり得る。その場合遠隔操作部は基地局の機能を持つ。図２の実施例においては、３つの補聴器HG1、HG2、HGnが基地局に、即ち遠隔操作部FB1にログインされる。したがってこれら３つの補聴器間の言語通信又はデータ通信が無線式に遠隔操作部FB1を介して可能である。
【００２３】
補聴器装用者の自身の言葉は例えば耳道路マイクロホン又は指向性マイクロホンによって受け取られ、基地局を介して一人又はすべてのログインされた補聴器装用者ないしその補聴器に伝送される。各補聴器において、受信された信号は、それが言語信号を対象とするかぎり、直ちに処理され音響信号に変換され、その結果その信号を補聴器装用者は実用上遅滞なく聞き取ることができる。
【００２４】
自発的な通信ネットワークは１つ又は複数の別の遠隔操作部（即ち基地局）によって拡張されることが可能である。これらの遠隔操作部は互いの間でログインし、データ転送を場合によっては別の区間を介して制御する。その際基地局の「ネットワーク」は絶えず最良の伝送路をすべてのログインされた基地局を介して探す。
【００２５】
別の実施例に相応して、補聴器の異なる製造者の異なる伝送規格に対するモジュールが上述の通信ネットワークにおいて使用される。このモジュールは、例えば第１の伝送規格に対応する信号を第２の伝送規格の信号に変換するための変換課題を引き受ける。したがって異なる製造者の補聴器の装用者は、同じ補聴器通信ネットワークに参加することができる。
【００２６】
上述の補聴器通信ネットワークによって、騒音に満ちた周囲の中でも目的にかなった通信が簡単に可能である。その際、何人の利用者がネットワークにログインするかは原則的には取るに足りないことである。場合によっては複数の方式が提供され、その結果利用者は１つの方式ですべての他の加入者に話しかけ、他の方式で目標として一人の利用者に、又は利用者を選択して話しかけることができる。さらに、システムは動的に利用することができ、その結果システムを変更する必要なく、任意の人が新たに加わることも立ち去ることもできる。別の利点は、この無線式通信のために付加の首掛けマイクロホンを必要としないことにある。
【図面の簡単な説明】
【００２７】
【図１】本発明の原理的構成を示す概略図である。
【図２】本発明による通信ネットワークのブロック図である。
【符号の説明】
【００２８】
１  補聴器ハウジング
２  マイクロホン
３  信号処理ユニット
４  受話器
５  電池
HG1  第１の補聴器
HG2、HGn  第２の補聴器
FB1  遠隔操作部
【図１】
2008118636.tif 000003
【図２】
2008118636.tif 000004